【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
１以上の情報処理装置が含まれる情報処理システムであって、
電子データを用いた一連の処理を、該一連の処理それぞれを実行するコンポーネントを組み合わせて実行するアプリケーション毎に、前記一連の処理に関する情報を記憶制御する第１の記憶手段と、
ユーザにより登録された第１のコンポーネントと、前記情報処理システムに予め組み込まれている第２のコンポーネントとに関する情報を含むコンポーネント情報を記憶制御する第２の記憶手段と、
前記情報処理システムに接続される１以上の機器のうちの一の機器から、前記アプリケーションを識別する情報と電子データに関する情報とを受け付けると、該アプリケーションを識別する情報によって識別されるアプリケーションに対応する前記一連の処理に関する情報に基づく一連の処理を、前記電子データに関する情報により指定される電子データを用いて実行する処理実行手段と
を有し、
前記処理実行手段は、
前記一連の処理に関する情報と前記コンポーネント情報とに基づき前記第１のコンポーネントと前記第２のコンポーネントとを組み合わせて、前記電子データを用いた前記一連の処理を実行する、情報処理システム。
【請求項２】
前記第１のコンポーネントの登録を受け付け、前記第２の記憶手段に、該受け付けた第１のコンポーネントに関する情報を前記コンポーネント情報として記憶させるコンポーネント登録手段をさらに有する、請求項１に記載の情報処理システム。
【請求項３】
前記処理実行手段は、
前記一連の処理のそれぞれの処理毎に、該一連の処理に関する情報と前記コンポーネントに関する情報と基づき、前記第１のコンポーネント又は前記第２のコンポーネントのいずれを用いるかを判別する判別手段を有し、
前記判別手段による判別結果に応じて第１のコンポーネント又は第２のコンポーネントを組み合わせて、前記電子データを用いた前記一連の処理を実行する、請求項２に記載の情報処理システム。
【請求項４】
前記判別手段は、
前記コンポーネント情報に、該コンポーネントを生成するための生成ファイルが含まれる場合、前記第１のコンポーネントを生成すると判別する、請求項３に記載の情報処理システム。
【請求項５】
前記処理実行手段は、
前記第１のコンポーネントを生成する第１の生成手段と、
前記第２のコンポーネントを生成する第２の生成手段と、を有し、
前記判別手段により前記第１のコンポーネントを用いると判別された場合、前記第１の生成手段により前記第１のコンポーネントを生成し、
前記判別手段により前記第２のコンポーネントを用いると判別された場合、前記第２の生成手段により前記第２のコンポーネントを生成する、請求項４記載の情報処理システム。
【請求項６】
前記第１の生成手段は、前記コンポーネント情報に含まれる前記生成ファイルに基づいて、前記第１のコンポーネントを生成する、請求項５に記載の情報処理システム。
【請求項７】
前記コンポーネント登録手段は、
前記情報処理システムに接続される１以上の機器のうちのいずれかの機器に表示された画面を介してユーザにより指定された生成ファイルを含む要求を受け付けると、該生成ファイルを含む前記第１のコンポーネントに関する情報を前記コンポーネント情報として前記第２の記憶手段に記憶させて、該生成ファイルにより生成される第１のコンポーネントを登録する、請求項６に記載の情報処理システム。
【請求項８】
前記処理実行手段は、
電子データに対して、該電子データのデータ型を所定のデータ型に変換する型変換手段を１以上有し、
前記電子データのデータ型を前記型変換手段により該コンポーネントが処理可能なデータ型に変換した後、前記コンポーネントの処理を実行することにより、前記電子データを用いた前記一連の処理を実行する、請求項１ないし７のいずれか１項に記載の情報処理システム。
【請求項９】
前記コンポーネントは、外部サービスに関する処理を実行するコンポーネントを含み、
前記外部サービスに関する処理を実行するコンポーネントは、
外部サービスに対して電子データをアップロードする処理を実行するコンポーネントを少なくとも含む、請求項１ないし８のいずれか１項に記載の情報処理システム。
【請求項１０】
情報処理装置であって、
電子データを用いた一連の処理を、該一連の処理それぞれを実行するコンポーネントを組み合わせて実行するアプリケーション毎に、前記一連の処理に関する情報を記憶制御する第１の記憶手段と、
ユーザにより登録された第１のコンポーネントと、前記情報処理装置に予め組み込まれている第２のコンポーネントとに関する情報を含むコンポーネント情報を記憶制御する第２の記憶手段と、
前記情報処理装置に接続される１以上の機器のうちの一の機器から、前記アプリケーションを識別する情報と電子データに関する情報とを受け付けると、該アプリケーションを識別する情報によって識別されるアプリケーションに対応する前記一連の処理に関する情報に基づく一連の処理を、前記電子データに関する情報により指定される電子データを用いて実行する処理実行手段と
を有し、
前記処理実行手段は、
前記一連の処理に関する情報と前記コンポーネント情報とに基づき前記第１のコンポーネントと前記第２のコンポーネントとを組み合わせて、前記電子データを用いた前記一連の処理を実行する、情報処理装置。
【請求項１１】
１以上の情報処理装置が含まれる情報処理システムが、
電子データを用いた一連の処理を、該一連の処理それぞれを実行するコンポーネントを組み合わせて実行するアプリケーション毎に、前記一連の処理に関する情報を記憶制御する第１の記憶手順と、
ユーザにより登録された第１のコンポーネントと、前記情報処理システムに予め組み込まれている第２のコンポーネントとに関する情報を含むコンポーネント情報を記憶制御する第２の記憶手順と、
前記情報処理システムに接続される１以上の機器のうちの一の機器から、前記アプリケーションを識別する情報と電子データに関する情報とを受け付けると、該アプリケーションを識別する情報によって識別されるアプリケーションに対応する前記一連の処理に関する情報に基づく一連の処理を、前記電子データに関する情報により指定される電子データを用いて実行する処理実行手順と
を実行し、
前記処理実行手順は、
前記一連の処理に関する情報と前記コンポーネント情報とに基づき前記第１のコンポーネントと前記第２のコンポーネントとを組み合わせて、前記電子データを用いた前記一連の処理を実行する、情報処理方法。
【請求項１２】
１以上の情報処理装置が含まれる情報処理システムに、
電子データを用いた一連の処理を、該一連の処理それぞれを実行するコンポーネントを組み合わせて実行するアプリケーション毎に、前記一連の処理に関する情報を記憶制御する第１の記憶手順と、
ユーザにより登録された第１のコンポーネントと、前記情報処理システムに予め組み込まれている第２のコンポーネントとに関する情報を含むコンポーネント情報を記憶制御する第２の記憶手順と、
前記情報処理システムに接続される１以上の機器のうちの一の機器から、前記アプリケーションを識別する情報と電子データに関する情報とを受け付けると、該アプリケーションを識別する情報によって識別されるアプリケーションに対応する前記一連の処理に関する情報に基づく一連の処理を、前記電子データに関する情報により指定される電子データを用いて実行する処理実行手順と
を実行させ、
前記処理実行手順は、
前記一連の処理に関する情報と前記コンポーネント情報とに基づき前記第１のコンポーネントと前記第２のコンポーネントとを組み合わせて、前記電子データを用いた前記一連の処理を実行する、プログラム。
【手続補正２】
【補正対象書類名】明細書
【補正対象項目名】０００６
【補正方法】変更
【補正の内容】
【０００６】
上記目的を達成するため、本発明の一実施形態は、１以上の情報処理装置が含まれる情報処理システムであって、電子データを用いた一連の処理を、該一連の処理それぞれを実行するコンポーネントを組み合わせて実行するアプリケーション毎に、前記一連の処理に関する情報を記憶制御する第１の記憶手段と、ユーザにより登録された第１のコンポーネントと、前記情報処理システムに予め組み込まれている第２のコンポーネントとに関する情報を含むコンポーネント情報を記憶制御する第２の記憶手段と、前記情報処理システムに接続される１以上の機器のうちの一の機器から、前記アプリケーションを識別する情報と電子データに関する情報とを受け付けると、該アプリケーションを識別する情報によって識別されるアプリケーションに対応する前記一連の処理に関する情報に基づく一連の処理を、前記電子データに関する情報により指定される電子データを用いて実行する処理実行手段とを有し、前記処理実行手段は、前記一連の処理に関する情報と前記コンポーネント情報とに基づき前記第１のコンポーネントと前記第２のコンポーネントとを組み合わせて、前記電子データを用いた前記一連の処理を実行する。